(57)【要約】【課題】  災害時など、いつでもどこでも歯磨きができて、携帯も容易であり、歯磨き剤をペット用に置き換えれば、ペットにも適用可能な、携帯歯磨きを提供する。【解決手段】  歯磨き剤を布製基材２に含浸させ、この布製基材２を複数枚分離取り出し可能に積み重ねて包袋３に収容する構成とする。  前記布製基材２には、例えば綿糸で構成したガーゼ状布部材を用いており、歯磨き剤を含浸しやすくしている。なお、綿糸以外、含浸性（保水性）の高い、合成糸、さらには、含水性に富む繊維で構成した不織布も可能である。  前記包袋３は、周知の防水性のフィルム状素材を方形状に封止して構成し、包袋３の端を開閉可能に形成してこの開閉箇所の封止部材から前記布製基材２を一枚一枚取り出す構成とする。【選択図】              図３
2007125253.tif 000002
【特許請求の範囲】
【請求項１】
歯磨き剤を布製基材に含浸させ、この布製基材を分離取り出し可能に複数枚積み重ねて包袋に収容する構成としたことを特徴とする携帯歯磨き。
【請求項２】
歯磨き剤を布製基材に含浸させ、この布製基材を、複数枚を一単位として取り出し可能に積み重ねて包袋に収容する構成としたことを特徴とする携帯歯磨き。
【請求項３】
前記布製基材はガーゼ状布部材によって構成したことを特徴とする請求項１または２記載の携帯歯磨き。
【請求項４】
前記布製基材は不織布によって構成したことを特徴とする請求項１または２記載の携帯歯磨き。
【発明の詳細な説明】
【技術分野】
【０００１】
本発明は、通常の歯磨き用品（歯ブラシ、チューブ入り歯磨き剤等）と異なり、野外キャンプなどの野外活動や災害時など、いつでもどこでも歯磨きができて、携帯も容易であり、歯磨き剤をペット用に置き換えれば、通常の歯ブラシなどを嫌がるペットにも適用可能な、携帯歯磨きに関するものである。
【背景技術】
【０００２】
近年、地震や、集中豪雨、台風による水害など災害が多発しており、非常用食品や生活用品を備蓄しておく人が増えてきている。
しかしながら突然やってくる災害時には、食事をとることなども困難である場合も多いし、たまたま非常用として備蓄しておいた非常食などを手にすることができたとしても、食事の後に、歯磨きをしようとしても、非常用生活用品の中に歯磨き用品があるとは限らず、またあったとしても、水がないと通常の歯磨きは困難であった。
【０００３】
そこで、通常の歯磨き用品に代り、例えば
【特許文献１】特開平９−２７１３２５号公報  で開示されているように、チューインガムに歯磨き効果を付与し、併せて消臭、殺菌、抗菌効果を保有させるようにしている。  このような歯磨き用ガムであれば、ポケットなどに入れておいたり、また非常用生活用品の中に加えておけば、災害時にも役に立つであろうと考えられる。
【０００４】
ところで、歯磨きは何も人間に限ったことではなく、犬、猫等、特に、人間と共に暮らすペットにとっても必要なこととなっている。最近のペットブームの折から、日常の他、旅行、ドライブ等の遠出においても、ペットを伴に出歩く飼い主が増えて来ている。そのため、飼い主は、ペットの給餌、給水等の食事、トイレ等様々な身の回りのケアに留意しなければならず、例えば、ペットの給餌、給水等の食事にあたり、人間同様、食べた後の歯磨きなど、歯のケアは必要である。
【０００５】
例えば、
【非特許文献１】登録実用新案第３０１４１１７号公報  この文献にかかる犬の歯磨き用ゴムでは、物を噛んで戯れるという犬の習性を利用して、噛むことで歯垢を除去しようとするもので、ゴム表面にちりめん状の凹凸を設けるというものである。  このような構成によって、表面にちりめん状の凹凸があるので、これを犬がかむと、くずが出ない消しゴムのように、表面の凹凸によって歯に付着した歯垢がかきとられるとしている。
【０００６】
また、最近、インターネット情報上では、歯磨きシートなる商品が紹介され、市販されている（ＵＲＬ：http://www.kenko.com）。
この歯磨きシートは、いわゆるティッシュペーパーに周知の液体歯磨き成分を含浸させたもので、液成分が歯の汚れを浮かせ、特殊形状のペーパーにより汚れを残さず拭き取るとしている。
【発明の開示】
【発明が解決しようとする課題】
【０００７】
しかしながら、上述の歯磨き用ガムでは、抗酸化性材料と、磨用固形繊維を加入して、ガムベースを咬むことで歯磨き効果を付与するとしているので、むらなくガムが歯の表面に当たればよいが、咬み方によってどうしてもムラが出てくる。また、歯の表面についた汚れは、咬むだけでは通常の歯ブラシで掻き取ることよりも除去しにくいと考えられる。
一方、ペット用の歯磨き用ゴムでは、犬がゴムを咥えて噛むことで、物理的にゴムに歯表面、歯茎周りを接触させるだけで、歯の汚れを掻き取るだけであるので、その犬自体の咬み方にもよるが、全ての歯がこのゴムに接触するとは実際上、考えにくい。従って、歯の磨き残しの箇所が出てくるおそれがある。
さらに、歯磨きシートでは、飼い主によって、犬の歯を拭き取るもので、ペーパーに含浸させた歯磨き成分が歯に触れることにより、歯磨き効果を得ることができるとしているが、今度は、ペーパー自体の耐久性が問題となり、全ての歯を磨くのに、何枚ものペーパーを費やすおそれがある。
本発明はこのような背景から提案されたものであって、歯磨き剤を含浸させた基材をガーゼ状のシートとすることで、拭き取る際の耐久性を向上させ、歯磨きとしての使い勝手を向上させた、携帯歯磨きを提供することを目的とする。
【課題を解決するための手段】
【０００８】
前記した課題を解決するために、本発明では、請求項１において、歯磨き剤を布製基材に含浸させ、この布製基材を分離取り出し可能に複数枚積み重ねて包袋に収容する構成とした携帯歯磨きを提案する。
また本発明では、請求項２において、歯磨き剤を布製基材に含浸させ、この布製基材を、複数枚を一単位として取り出し可能に積み重ねて包袋に収容する構成とした携帯歯磨きを提案する。
また本発明では、請求項３において、前記布製基材はガーゼ状布部材によって構成した携帯歯磨きを提案する。
さらに本発明では、請求項４において、前記布製基材は不織布によって構成した携帯歯磨きを提案する。
【発明の効果】
【０００９】
本発明によれば、歯磨き剤を含浸させた布製基材により、破れることなく全体の歯の表面を残さず摺擦することができ、歯磨き剤と共に布製基材による摩擦力との相乗効果により歯磨き効果を得ることができる。
【００１０】
請求項１によれば、歯磨きの際は、歯磨き剤を含浸させた布製基材を、包袋から一枚一枚取り出して使うことができる。歯磨き剤を含浸させた布製基材により、破れることなく歯表面を擦ることができる。
【００１１】
請求項２によれば、包袋から、複数枚を一単位として取り出して使うことができる。布製基材を複数枚重なった状態で使うことで、一層、効果的に布製基材の繊維部を歯表面に作用させることができる。
【００１２】
請求項３によれば、布製基材はガーゼ状布部材によって構成したので、歯の表面を擦る際に、ある程度力を入れても、ガーゼ状布部材の繊維部が破れることなく、拭き取る際の適度な摩擦力によって、歯の表面の汚れに作用し、歯磨き剤の歯磨き効果によって歯の汚れを取り除くことができる。
【００１３】
請求項４によれば、布製基材は不織布によって構成したので、相当の力で擦っても破れることはなく、耐水ペーパーのように歯の表面に作用し、歯の汚れを効果的に掻き取ることができる。
【発明を実施するための最良の形態】
【００１４】
以下、本発明にかかる携帯歯磨きにつき、一つの実施の態様を挙げ、添付の図面に基づいて説明する。
【実施例１】
【００１５】
図１に、本発明にかかる携帯歯磨き１を示す。
この携帯歯磨き１は、歯磨き剤（後述）を布製基材２に含浸させ、この布製基材２を複数枚分離取り出し可能に積み重ねて包袋３に収容する構成としている。
【００１６】
前記布製基材２には、例えば綿糸で構成した目の粗いメッシュ状の、すなわちガーゼ状布部材を用いており、所定の大きさの方形状のもので、両辺をそれぞれ互いに中間で接するように折り畳み、この状態で複数枚、積み重ねて包袋３に収容としている。なお、布製基材２は、単に複数枚積み重ねて前記包袋３に収容するようにしてもよいし、２、３枚を一単位として取り出し可能に、積み重ねるようにしてもよい。
また前記布製基材２は、綿糸を素材としたことで、後述する歯磨き剤を含浸しやすくしている。なお、綿糸以外のものでも、含浸性（保水性）の高い、合成糸も可能である。さらには、含水性に富む繊維で構成した不織布も考えられる。
【００１７】
前記包袋３は、周知の防水性のフィルム状素材を方形状に封止して構成したもので、中に前記布製基材２を複数枚、折り畳んで積み重ねた状態で収容している。
この場合、前記包袋３には、包袋３の端を開閉可能に形成してこの開閉箇所に、適宜な封止部材（図示省略）を設け、ここから前記布製基材２を一枚一枚取り出す構成である（図２参照）。なお、封止部材の代りに面ファスナ（図示省略）で開閉自在に構成することもできる。
【００１８】
次に、上記携帯歯磨き１に使用される歯磨き剤は、周知のものでよい。すなわち、歯磨き剤としては、例えば研磨剤、湿潤剤、発泡剤、粘結剤、保存剤、薬用成分、着色料から必要に応じて適宜配合したものを用いることができる。
【００１９】
以上のような携帯歯磨き１によれば、歯磨き剤を含浸させた布製基材２を、複数枚分離取り出し可能に積み重ねて収容した包袋３で構成しているので、嵩張らず、非常用の生活用品の中の一品として備蓄しておくことができる。なお、携帯歯磨き１の包袋３は、防水性のフィルム状素材を封止して構成したものであるので、収容された布製基材２に含浸した歯磨き剤の乾燥を抑えることができ、非常用の生活用品の中の一品として備蓄しておくのに適している。
そして災害時などには、避難先等で、非常食の食後などに携帯歯磨き１を取り出して、包袋３の端の封止部材を開き、この開いた包袋３の端から手を入れて、歯磨き剤を含浸させた布製基材２を一枚一枚引っ張り出すことができる。
なお、２、３枚を一単位として布製基材２を取り出し可能に、積み重ねた携帯歯磨き１にあっては、２、３枚を一単位として取り出し、使用に供することができる。
【００２０】
前記布製基材２はガーゼ状布部材によって構成したので、歯の表面を拭く際に、ある程度力を入れても、ガーゼ状布部材の繊維部が破れることなく、拭き取る際の適度な摩擦によって、歯の表面の汚れに作用し、歯磨き剤の歯磨き効果によって歯の汚れを効果的に取り除くことができる（図３参照）。
なお、歯の表面を拭く際には、図示するように、布製基材２であるガーゼ状布部材を適当に折り畳んで指に挟んだ状態で、歯の表面に当てるようにすると、力を入れて拭きやすくなる。
特に、２、３枚を一単位として布製基材２を取り出し可能とした場合、ガーゼ状布部材の繊維部による目が積み重なり、厚みをもたされた状態で歯の表面を拭くこととなり、歯の汚れが目に効果的に入り込み、繊維部によりからめ取るように除去することができる。
このように、布製基材２にガーゼ状布部材を用いたことで、簡単に破れることなく、歯磨きを効果的に行うことができる。
【００２１】
また、前記携帯歯磨き１は、いつでもとこでも、通常のティッシュペーパーのようにポケットなどに入れて持ち歩くことができる。このため、登山、キャンプなどの行き先で、食事の後に、携帯歯磨き１を取り出して、歯磨きを行うことができる。
【００２２】
以上、本発明にかかる携帯歯磨き１について一例を挙げ、説明したが、本発明にかかる携帯歯磨き１の包袋３は、図４、図５に示すように、包袋３上面中央に開口部Ｏを形成し、この開口部Ｏから布製基材２を一枚、一枚引っ張り出す構成とすることもできる。なお、前記開口部Ｏを形成した前記包袋３上面中央には、未使用時に開口部Ｏを封止するためのカバー４を貼着している。このカバー４は、包袋３に対し、適宜な粘着手段によって所定回数、開閉可能に封着可能としている。
勿論、前記包袋３の開口部Ｏは、この他、包袋３の端に設けることも可能である（図示省略）。この場合は、前記布製基材２を取り出しやすいようにするために、折り畳み方を変える（二つ折りにし、折り畳んだ両端が開口部Ｏに近接するように収容するようにする。）とよい。
【００２３】
このような携帯歯磨き１によれば、カバー４を剥がせば開口部Ｏが露出し、開口部Ｏから指を入れて、一枚一枚布製基材２を引っ張り出すことができる（図６参照）。このとき、前記開口部Ｏ内側に、折り畳み状態で収容されている布製基材２の端部が位置しているので取り出しやすい。
【００２４】
さらに本発明における携帯歯磨き１は、ペット用としても好適である。ペット用として用いるには、布製基材２に含浸させる歯磨き剤を、例えば特開平１１−２８９９００号公報で見られるように、ペットが好む香りや味を呈するもの（例えば肉類風味、魚介類風味）の香味料を吸着させた多孔質粒子と、この他、歯磨き剤としての必要な成分として、研磨剤、湿潤剤、発泡剤、粘結剤、保存剤、薬用成分、着色料から必要に応じて適宜配合したものを用いることができる。
【００２５】
以上のような携帯歯磨き１によれば、飼い主は、ペットと共に外出の際、通常のティッシュペーパのようにポケットなどに携帯歯磨き１を入れて持ち歩くことができる。このため、行き先で、給餌の際に、携帯歯磨き１を取り出して、ペットに対し、歯磨きを行うことができる。
【００２６】
飼い主は、前記携帯歯磨き１を取り出し、開口部Ｏから手を入れて、歯磨き剤を含浸させた布製基材２を引っ張り出すことができる。
そして飼い主は、ペットの下顎に手をかけて口を開かせて歯を露出させた状態で保持し、前記布製基材２により、歯の表面を拭くようにする。このとき、布製基材２には、ペットの好む肉類風味、魚介類風味などの香味料を配合した歯磨き剤を含浸させているので、ペットは嫌がることはない。
【００２７】
このように、前記携帯歯磨き１を用いれば、通常の歯ブラシによる歯磨きを嫌がるペットであっても、難なくペットに対し、歯磨きを行うことができるので、ペットの健康管理上、大いに寄与するものとなる。
【図面の簡単な説明】
【００２８】
【図１】本発明にかかる携帯歯磨きの一例を示す、外観斜視図である。
【図２】図１に示す携帯歯磨きから布製基材を取り出すところを示した、斜視説明図である。
【図３】本発明にかかる携帯歯磨きを用いて歯磨きをするところを示した、使用状態図である。
【図４】本発明にかかる携帯歯磨きの別例を示す、外観斜視図である。
【図５】図４に示す携帯歯磨きの構成を示した破断面斜視説明図である。
【図６】図４に示す携帯歯磨きから布製基材を取り出すところを示した、斜視説明図である。
【符号の説明】
【００２９】
１                    携帯歯磨き
２                    布製基材
３                    包袋
４                    カバー
Ｏ                    開口部
【図１】
2007125253.tif 000003
【図２】
2007125253.tif 000004
【図３】
2007125253.tif 000005
【図４】
2007125253.tif 000006
【図５】
2007125253.tif 000007
【図６】
2007125253.tif 000008